(57)【要約】【課題】自立運転開始時に、双方向電力変換器から勝手に重要負荷へ電力が供給されてしまうことを防止する。【解決手段】蓄電システムは、商用系統１に連系される蓄電部１０と、この蓄電部１０と重要負荷３ｄとの間に接続されたスイッチ装置２０と、を備えている。スイッチ装置２０は、系統連系時において、第１接続点Ｎ１と重要負荷３ｄとの間を導通状態、且つ第２接続点Ｎ２と重要負荷３ｄとの間を手動操作によって遮断状態にセットすると、このセット状態が、商用系統１の停電時以後も保持され、自立運転時において、手動操作によって第１接続点Ｎ１と重要負荷３ｄとの間を遮断状態、且つ第２接続点Ｎ２と重要負荷３ｄとの間を導通状態に切り替えて前記セット状態をリセットすると、蓄電部１０内のリレー接点１４と蓄電部１０内の双方向電力変換器１２との間の電力が、重要負荷３ｄへ供給される構成になっている。【選択図】図１
2014007828.tif 000002
【特許請求の範囲】
【請求項１】
第１接続点を介して商用系統に連系され、電気料金が安価な時間帯に、前記第１接続点、第１切り替え手段、及び双方向電力変換器を介して、二次電池に充電し、電力需要が大きい時間帯に、前記二次電池からの放電電力を、前記双方向電力変換器、前記第１切り替え手段、及び前記第１接続点を介して、前記商用系統に連系させ、前記第１接続点に接続された一般負荷へ電力を供給すると共に、前記双方向電力変換器、第２切り替え手段、及び第２接続点を介して、重要負荷へ電力を供給する蓄電システムにおいて、
前記第２接続点と前記重要負荷との間に接続され、系統連系時において、前記第２接続点と前記重要負荷との間を手動操作によって遮断状態にセットすると、このセット状態が、前記商用系統の停電時以後も保持され、自立運転時において、手動操作によって前記第２接続点と前記重要負荷との間を導通状態に切り替えて前記セット状態をリセットすると、前記第１切り替え手段と前記双方向電力変換器との間の電力が、前記重要負荷へ供給されるスイッチ装置を、
設けたことを特徴とする蓄電システム。
【請求項２】
前記スイッチ装置は、
前記第２接続点と前記重要負荷との間に、着脱自在に接続されていることを特徴とする請求項１記載の蓄電システム。
【請求項３】
前記スイッチ装置は、
前記第１接続点及び前記第２接続点と前記重要負荷との間に接続され、
前記系統連系時において、前記第１接続点と前記重要負荷との間を導通状態、且つ前記第２接続点と前記重要負荷との間を前記手動操作によって遮断状態にセットすると、このセット状態が、前記商用系統の前記停電時以後も保持され、前記自立運転時において、前記手動操作によって前記第１接続点と前記重要負荷との間を遮断状態、且つ前記第２接続点と前記重要負荷との間を導通状態に切り替えて前記セット状態をリセットすると、前記第１切り替え手段と前記双方向電力変換器との間の前記電力が、前記重要負荷へ供給される構成になっていることを特徴とする請求項１記載の蓄電システム。
【請求項４】
前記スイッチ装置は、
前記第１接続点及び前記第２接続点と前記重要負荷との間に、着脱自在に接続されていることを特徴とする請求項３記載の蓄電システム。
【請求項５】
請求項１〜４のいずれか１項に記載の蓄電システムは、更に、
前記商用系統からの電力供給の有無を検出し、この検出結果に基づいて、前記第１切り替え手段及び前記第２切り替え手段の切り替えを制御する制御手段、
を有することを特徴とする蓄電システム。
【請求項６】
前記スイッチ装置は、
第１電磁コイル、第１主接点、及び第１補助接点を有し、前記第１電磁コイルに電流が流れると、前記第１主接点がオン状態になると共に、前記第１補助接点がオフ状態になり、前記第１電磁コイルに流れる前記電流が遮断されると、前記第１主接点がオフ状態になると共に、前記第１補助接点がオン状態になる第１電磁接触器と、
第２電磁コイル及び第２主接点を有し、前記第２電磁コイルに電流が流れると、前記第２主接点がオン状態になり、前記第２電磁コイルに流れる前記電流が遮断されると、前記第２主接点がオフ状態になる第２電磁接触器と、
前記手動操作によってオン／オフ状態が切り替えられる第３主接点、及び前記第３主接点と連動してオフ／オン状態が切り替えられる第３補助接点を有し、過電流により、前記第３主接点がオフ状態に切り替わると共に、前記第３補助接点がオン状態に切り替わる遮断器と、を備え、
前記第１電磁コイル及び前記第３主接点は、前記第１接続点と前記重要負荷との間に直列に接続されると共に、前記第１主接点が前記第１電磁コイルに並列に接続され、
前記第２電磁コイル、前記第１補助接点及び前記第３補助接点は、前記第２接続点と前記重要負荷との間に直列に接続されると共に、前記第２電磁コイル、前記第１補助接点及び前記第３補助接点に対して、前記第２主接点が並列に接続されていることを特徴とする請求項３〜５のいずれか１項に記載の蓄電システム。
【発明の詳細な説明】
【技術分野】
【０００１】
本発明は、商用系統に連係され、電気料金が安価な時間帯に二次電池に充電し、電力需要が大きい時間帯にその二次電池から放電電力を商用系統に連系させる蓄電システムに関するものである。
【背景技術】
【０００２】
従来、例えば、下記の特許文献１に記載された蓄電システムでは、交流（以下「ＡＣ」という。）の商用系統に連系され、電気料金が安価な時間帯に、交流／直流（以下「ＤＣ」という。）変換及びＤＣ／ＡＣ変換を行う双方向電力変換器により変換されたＤＣ電力にて二次電池を充電し、昼間の電力需要が大きい時間帯に、その二次電池からのＤＣ放電電力を、双方向電力変換器にてＡＣ電力に変換して商用系統に連系させ、一般負荷及び重要負荷へＡＣ電力を供給するようになっている。
【先行技術文献】
【特許文献】
【０００３】
【特許文献１】特開２００８−２５３０３３号公報
【発明の概要】
【発明が解決しようとする課題】
【０００４】
しかしながら、従来の蓄電システムでは、商用系統が停電になって自立運転が始まると、二次電池からのＤＣ放電電力が、自動的に、双方向電力変換器にてＡＣ電力に変換されて重要負荷へ供給されてしまう。そのため、安全性に問題があるという課題があった。
【０００５】
本発明は、従来の課題を解決するために、自立運転開始時に、双方向電力変換器から勝手に重要負荷へ電力が供給されてしまうことを防止して安全性を確保できる蓄電システムを提供することを目的とする。
【課題を解決するための手段】
【０００６】
本発明の蓄電システムは、第１接続点を介して商用系統に連系され、電気料金が安価な時間帯に、前記第１接続点、第１切り替え手段、及び双方向電力変換器を介して、二次電池に充電し、電力需要が大きい時間帯に、前記二次電池からの放電電力を、前記双方向電力変換器、前記第１切り替え手段、及び前記第１接続点を介して、前記商用系統に連系させ、前記第１接続点に接続された一般負荷へ電力を供給すると共に、前記双方向電力変換器、第２切り替え手段、及び第２接続点を介して、重要負荷へ電力を供給する蓄電システムにおいて、スイッチ装置を設けている。
【０００７】
前記スイッチ装置は、前記第２接続点と前記重要負荷との間に接続され、系統連系時において、前記第２接続点と前記重要負荷との間を手動操作によって遮断状態にセットすると、このセット状態が、前記商用系統の停電時以後も保持され、自立運転時において、手動操作によって前記第２接続点と前記重要負荷との間を導通状態に切り替えて前記セット状態をリセットすると、前記第１切り替え手段と前記双方向電力変換器との間の電力が、前記重要負荷へ供給される構成になっている。
【０００８】
又、前記スイッチ装置は、前記第１接続点及び前記第２接続点と前記重要負荷との間に接続され、前記系統連系時において、前記第１接続点と前記重要負荷との間を導通状態、且つ前記第２接続点と前記重要負荷との間を前記手動操作によって遮断状態にセットすると、このセット状態が、前記商用系統１の前記停電時以後も保持され、前記自立運転時において、前記手動操作によって前記第１接続点と前記重要負荷との間を遮断状態、且つ前記第２接続点と前記重要負荷との間を導通状態に切り替えて前記セット状態をリセットすると、前記第１切り替え手段と前記双方向電力変換器との間の前記電力が、前記重要負荷へ供給される構成であっても良い。
【発明の効果】
【０００９】
本発明の蓄電システムによれば、商用系統の停電によって蓄電部側で自立運転が始まり、双方向電力変換器からＡＣ放電電力が出力されても、このＡＣ放電電力がスイッチ装置で遮断されるので、そのＡＣ放電電力が勝手に重要負荷へ供給されてしまうことを防止することができる。これにより、蓄電システムの安全性をより向上できる。その上、既存の蓄電システムに、スイッチ装置を追加するだけで、容易に、且つ低コストで、安全性の高い蓄電システムを実現できる。
【図面の簡単な説明】
【００１０】
【図１】図１は本発明の実施例１における蓄電システムを示す概略の構成図である。
【図２−１】図２−１は図１の蓄電システムにおける系統連系時の動作を示す図である。
【図２−２】図２−２は図１の蓄電システムにおける停電発生直後の動作を示す図である。
【図２−３】図２−３は図１の蓄電システムにおける自立運転時の動作を示す図である。
【図２−４】図２−４は図１の蓄電システムにおける手動操作オフ（自立運転）の動作を示す図である。
【図２−５】図２−５は図１の蓄電システムにおける太陽光発電（ＰＶ）自立出力オン（自立運転時）の動作を示す図である。
【図２−６】図２−６は図１の蓄電システムにおける系統復帰時（復帰カウントダウン）の動作を示す図である。
【図２−７】図２−７は図１の蓄電システムにおける系統復帰時（手動操作オン）の動作を示す図である。
【図２−８】図２−８は図１の蓄電システムにおける復帰カウントダウン終了（図２−１の系統連系時）の動作を示す図である。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図１は、本発明の実施例１における蓄電システムを示す概略の構成図である。
【００１３】
図１に示すように、ＡＣ電力（例えば、ＡＣ１００Ｖ又はＡＣ２００Ｖ）を供給する商用系統１には、一般負荷部２と、蓄電部１０とが接続されている。更に、商用系統１及び蓄電部１０には、スイッチ装置２０を介して、重要負荷部３が接続されている。電力源（例えば、太陽光発電（ＰＶ）用の太陽電池）３０及びパワーコンディショナ（ＰＣＳ）３１が、配線用遮断器（ＭＣＣＢ）３２を介して、蓄電部１０に接続されている。本実施例１の蓄電システムは、蓄電部１０及びスイッチ装置２０により構成されている。
【００１４】
商用系統１に接続された一般負荷部２には、２つの配線用遮断器（ＭＣＣＢ）２ａ，２ｂの内の１つの遮断器２ａを介して、一般負荷２ｃが接続されている。一般負荷２ｃは、商用系統１の停電時に動作が停止する照明器具、エアコンディショナ等の電気機器である。遮断器２ａ，２ｂは、ノー・ヒューズ・ブレーカとも言われ、手動操作にて分岐回路の負荷電流の導通／遮断を行い、過負荷や短絡等の事故の場合、自動的に回路を遮断する機能を有している。遮断器２ｂの一方の電極は、商用系統１に接続され、その遮断器２ｂの他方の電極が、第１接続点Ｎ１を介して蓄電部１０に接続されている。
【００１５】
これに対し、重要負荷部３には、３つの配線用遮断器（ＭＣＣＢ）３ａ，３ｂ，３ｃの内の２つの遮断器３ａ，３ｂを介して、重要負荷３ｄが接続されている。重要負荷３ｄは、商用系統１の停電時に、蓄電部１０からの電力の供給を停止することが許されない非常用表示灯等の電気機器である。遮断器３ｃの一方の電極は、遮断器３ａ，３ｂを介して重要負荷３ｄに接続され、その遮断器３ｃの他方の電極が、スイッチ装置２０及び第２接続点Ｎ２を介して蓄電部１０に接続されている。
【００１６】
蓄電部１０は、第１接続点Ｎ１を介して商用系統１に連系され、電気料金が安価な時間帯に、その商用系統１から供給される電力を蓄電し、昼間の電力需要が大きい時間帯に、蓄電した電力を放電して、第１接続点Ｎ１へ供給すると共に、第２接続点Ｎ２及びスイッチ装置２０を介して重要負荷部３へ供給するものである。蓄電部１０には、二次電池１１、双方向電力変換器１２、制御手段（例えば、制御部）１３、第１切り替え手段（例えば、リレー接点）１４、第２切り替え手段（例えば、リレー接点）１５、第３切り替え手段（例えば、リレー接点）１６、及び３つの配線用遮断器１７ａ，１７ｂ，１８が設けられ、この蓄電部１０の全体が、システムコントローラ１９によって制御される構成になっている。
【００１７】
二次電池１１は、電力を蓄電する蓄電池であり、これには、双方向電力変換器１２を介して、第３接続点Ｎ３が接続されている。双方向電力変換器１２は、二次電池１１の充電時において、第３接続点Ｎ３のＡＣ電力をＤＣ電力に変換して二次電池１１を充電し、二次電池１１の放電時において、この二次電池１１からのＤＣ放電電力をＡＣ電力に変換して第３接続点Ｎ３へ出力する装置である。第３接続点Ｎ３には、３つのリレー接点１４，１５，１６が接続されている。
【００１８】
蓄電部１０内に設けられた制御部１３は、復帰時の余裕時間をカウントするタイマ１３ａを有し、商用系統１と一般負荷部２との間において、その商用系統１からＡＣ電力が供給されているか否かを検出し、この検出結果に基づいて、リレー接点１４，１５の切り替えを制御し、更に、システムコントローラ１９の指示に従い、リレー接点１６の切り替えを制御する機能を有している。システムコントローラ１９は、第２接続点Ｎ２から供給されるバックアップ用のＡＣ電力を蓄電し、遮断器３２とリレー接点１６との間において、パワーコンディショナ３１側からＡＣ電力（例えば、ＡＣ１００Ｖ又ＡＣ２００Ｖ）が供給されているか否かを検出し、この検出結果に基づいて、リレー接点１６の切り替えを制御するための指示を制御部１３に与える機能を有し、更に、蓄電部１０の全体を制御する機能を有し、中央処理装置（ＣＰＵ）等で構成されている。
【００１９】
リレー接点１４は、２つの電極の内の一方の電極が、第３接続点Ｎ３に接続され、他方の電極が、遮断器１７ａを介して第１接続点Ｎ１に接続され、制御部１３の制御によりオン／オフ動作して、商用系統１からＡＣ電力が供給されている時には、一方の電極と他方の電極との間を導通し、商用系統１の停電時には、一方の電極と他方の電極との間を遮断するものである。リレー接点１５は、遮断器１７ｂを介して第１接続点Ｎ１に接続された第１電極１５ａと、第３接続点Ｎ３に接続された第２電極１５ｂと、遮断器１８を介して第２接続点Ｎ２に接続された共通電極１５ｃとを有し、制御部１３の制御により、共通電極１５ｃと第１電極１５ａ又は第２電極１５ｂとの間の導通状態を切り替え、商用系統１からＡＣ電力が供給されている時には、共通電極１５ｃと第１電極１５ａとの間を導通し、商用系統１の停電時には、共通電極１５ｃと第２電極１５ｂとの間を導通するものである。リレー接点１６は、遮断器３２と第３接続点Ｎ３との間に接続され、制御部１３の制御によりオン／オフ動作して、遮断器３２と第３接続点Ｎ３との間を導通／遮断するものである。
【００２０】
スイッチ装置２０は、第１接続点Ｎ１及び第２接続点Ｎ２と、重要負荷部３との間に接続され、系統連系時において、第１接続点Ｎ１と重要負荷部３との間を導通状態、且つ第２接続点Ｎ２と重要負荷部３との間を手動操作によって遮断状態にセットすると、このセット状態が、商用系統１の停電時以後も保持され、自立運転時において、手動操作によって第１接続点Ｎ１と重要負荷部３との間を遮断状態、且つ第２接続点Ｎ２と重要負荷部３との間を導通状態に切り替えて前記セット状態をリセットすると、リレー接点１４と双方向電力変換器１２との間の第３接続点Ｎ３の電力が、重要負荷部３へ供給される構成になっている。
【００２１】
このスイッチ装置２０は、例えば、第１電磁接触器（ＭＣ）２１と、第２電磁接触器２２と、配線用遮断器（ＭＣＣＢ）２３と、を備えている。第１電磁接触器２１は、第１電磁コイル２１Ａと、ノーマルオフのａ接点からなる第１主接点２１ａと、ノーマルオンのｂ接点からなる第１補助接点２１ｂとを有し、第１電磁コイル２１Ａに電流が流れると、第１主接点２１ａがオン状態になると共に、第１補助接点２１ｂがオフ状態になり、第１電磁コイル２１Ａに流れる電流が遮断されると、第１主接点２１ａがオフ状態になると共に、第１補助接点２１ｂがオン状態になる切り替え手段である。
【００２２】
第２電磁接触器２２は、第２電磁コイル２２Ａと、ａ接点からなる第２主接点２２ａとを有し、第２電磁コイル２２Ａに電流が流れると、第２主接点２２ａがオン状態になり、第２電磁コイル２２Ａに流れる電流が遮断されると、第２主接点２２ａがオフ状態になる切り替え手段である。遮断器２３は、手動操作によってオン／オフ状態が切り替えられるａ接点からなる第３主接点２３ａと、この第３主接点２３ａと連動してオフ／オン状態が切り替えられるｂ接点からなる第３補助接点２３ｂとを有し、過電流により、第３主接点２３ａがオフ状態に切り替わると共に、第３補助接点２３ｂがオン状態に切り替わる切り替え手段である。
【００２３】
これらの第１電磁コイル２１Ａ及び第３主接点２３ａは、第１接続点Ｎ１と重要負荷部３との間に直列に接続されると共に、第１主接点２１ａが第１電磁コイル２１Ａに並列に接続されている。更に、第２電磁コイル２２Ａ、第１補助接点２１ｂ及び第３補助接点２３ｂは、第２接続点Ｎ２と重要負荷部３との間に直列に接続されると共に、それらの第２電磁コイル２２Ａ、第１補助接点２１ｂ及び第３補助接点２３ｂに対して、第２主接点２２ａが並列に接続されている。
【００２４】
なお、スイッチ装置２０は、第１接続点Ｎ１及び第２接続点Ｎ２と、重要負荷部３との間に着脱自在に接続される構成にすれば、既存の蓄電システムを変更することなく、本実施例１の蓄電システムを容易に実現することが可能になる。
【００２５】
蓄電部１０に接続された太陽電池３０、パワーコンディショナ３１、及び遮断器３２の内、太陽電池３０は、太陽光を受光してＤＣ電力を出力するものであり、この出力側に、パワーコンディショナ３１、遮断器３２、及び蓄電部１０内のリレー接点１６を介して、蓄電部１０内の第３接続点Ｎ３が接続されている。パワーコンディショナ３１は、太陽電池３０から出力されたＤＣ電力を、商用系統１に連系した商用周波数のＡＣ電力に変換し、この変換後のＡＣ電力を、遮断器３２及び蓄電部１０内のリレー接点１６を介して第３接続点Ｎ３へ供給し、又、一般負荷２ｃ及び重要負荷３ｄの消費電力を上回る場合の余剰電力を商用系統１側へ逆潮流する機能を有している。
【００２６】
（実施例１の動作）
図２−１〜図２−８は、図１の蓄電システムにおける動作を示す図である。この内、図２−１は系統連系時の動作、図２−２は停電発生直後の動作、図２−３は自立運転時の動作、図２−４は手動操作オフ（自立運転時）の動作、図２−５は太陽光発電（ＰＶ）自立出力オン（自立運転時）の動作、図２−６は系統復帰時（復帰カウントダウン）の動作、図２−７は系統復帰時（手動操作オン）の動作、及び、図２−８は復帰カウントダウン終了（図２−１の系統連系時）の動作をそれぞれ示す図である。なお、図２−１〜図２−８中の矢印は、動作時の電流の流れる方向を示している。
【００２７】
以下、図２−１〜図２−８の各動作（１）〜（８）を説明する。
【００２８】
（１）  図２−１の系統連系時の動作
通常の系統連系時においては、手動操作により、遮断器２３の第３主接点２３ａをオン状態にすると共に、第３補助接点２３ｂをオフ状態にしておく。図２−１中の矢印で示すように、商用系統１のＡＣ電力は、一般負荷部２内の遮断器２ａを介して一般負荷２ｄへ供給されると共に、商用系統１のＡＣ電流が、一般負荷部２内の遮断器２ｂ→第１接続点Ｎ１→第１励磁コイル２１Ａ→第３主接点２３ａ→重要負荷部３内の遮断器３ｃ，３ａ，３ｂ、の経路で重要負荷３ｄへ流れる。第１電磁コイル２１ＡにＡＣ電流が流れると、第１主接点２１ａがオン状態になり、第１接続点Ｎ１のＡＣ電力が、第１主接点２１ａ→第３主接点２３ａ→重要負荷部３内の遮断器３ｃ，３ａ，３ｂ、の経路で重要負荷３ｄへ供給される。
【００２９】
商用系統１からＡＣ電力が供給されると、この電力供給が制御部１３により検出されて、この制御部１３の制御により、リレー接点１４がオン状態になると共に、リレー接点１５が第１電極１５ａ側に切り替わる。そのため、第１接続点Ｎ１のＡＣ電力は、遮断器１７ａ→リレー接点１４→第３接続点Ｎ３、の経路で双方向電力変換器１２へ供給される。双方向電力変換器１２は、システムコントローラ１９によって充電動作が制御され、供給されたＡＣ電力をＤＣ電力に変換し、二次電池１１を充電する。
【００３０】
（２）  図２−２の停電発生直後の動作
商用系統１が停電になってＡＣ電力の供給が停止されると、この電力供給の停止が、制御部１３により検出されて、この制御部１３の制御により、リレー接点１４がオフ状態に切り替わると共に、リレー接点１５が第２電極１５ｂ側に切り替わる。商用系統１からの電力供給の停止により、第１電磁コイル２１ＡにＡＣ電流が流れなくなるので、第１主接点２１ａがオフ状態になると共に、第１補助接点２１ｂがオン状態になる。この時、第３補助接点２３ｂがオフ状態になっている。そのため、第２電磁コイル２２Ａには電流が流れず、第２主接点２２ａがオフ状態のままである。このように、第３補助接点２３ｂ及び第１補助接点２１ｂが共にオン状態にならないと、第２電磁接触器２２の第２主接点２２ａが自己保持されないというインターロック機能が働くので、重要負荷３ｄへはＡＣ電力が供給されない。
【００３１】
（３）  図２−３の自立運転時の動作
システムコントローラ１９の制御により、双方向電力変換器１２から重要負荷３ｄへＡＣ電力が供給される自立運転が開始される。この自立運転開始時において、双方向電力変換器１２は、システムコントローラ１９によって放電動作が制御され、二次電池１１からのＤＣ放電電力をＡＣ放電電力に変換して第３接続点Ｎ３側へ出力する。出力されたＡＣ放電電力は、リレー接点１５の第２電極１５ｂ側→第２接続点Ｎ２、の経路で流れようとするが、第２主接点２２ａがオフ状態になっているので、そのＡＣ放電電力が重要負荷３ｄへ供給されない。
【００３２】
（４）  図２−４の手動操作オフ（自立運転時）の動作
手動操作により、遮断器２３の第３主接点２３ａをオフ状態にすると共に、第３補助接点２３ｂをオン状態にすると、この第３補助接点２３ｂ及び第１補助接点２１ｂが共にオン状態になる。そのため、図２−４中の矢印で示すように、双方向電力変換器１２から出力されたＡＣ放電電力が、リレー接点１５の第２電極１５ｂ側→第２接続点Ｎ２→第２電磁コイル２２Ａ→第１補助接点２１ｂ→第３補助接点２３ｂ→重要負荷部３、の経路で流れるので、第２主接点２２ａがオン状態になる。これにより、自立運転が開始され、ＡＣ放電電力が、第２主接点２２ａ及び重要負荷部３内の遮断器３ｃ，３ａ，３ｂを経由して、重要負荷３ｄへ供給される。
【００３３】
（５）  図２−５の太陽光発電（ＰＶ）自立出力オン（自立運転時）の動作
パワーコンディショナ３１側の制御により、太陽光発電（ＰＶ）の自立運転が開始されると、太陽電池３０から出力されたＤＣ電力が、パワーコンディショナ３１により、商用系統１に連系したＡＣ電力に変換され、この変換後のＡＣ電力が、図２−５中の矢印で示すように、遮断器３２を介して、蓄電部１０内のリレー接点１６側へ供給される。リレー接点１６側へＡＣ電力が供給されると、これがシステムコントローラ１９にて検出され、この検出結果が制御部１３へ送られる。すると、制御部１３の制御により、リレー接点１６がオン状態になり、パワーコンディショナ３１側から供給されたＡＣ電力が、第３接続点Ｎ３へ供給される。
【００３４】
双方向電力変換器１２は、システムコントローラ１９によって充電動作が制御され、第３接続点Ｎ３に供給されたＡＣ電力をＤＣ電力に変換し、二次電池１１を充電する。更に、第３接続点Ｎ３に供給されたＡＣ電力は、図２−５中の矢印で示すように、リレー接点１５の第２電極１５ｂ側→第２接続点Ｎ２→第２主接点２２ａ→重要負荷部３内の遮断器３ｃ，３ａ，３ｂ、の経路で重要負荷３ｄへ供給される。
【００３５】
（６）  図２−６の系統復帰時（復帰カウントダウン）の動作
商用系統１が復旧すると、この商用系統１のＡＣ電力が一般負荷部２側へ供給される。この電力供給状態が、パワーコンディショナ３１側及び制御部１３により検出される。パワーコンディショナ３１側では、自己のＡＣ電力の出力を停止するので、この停止状態がシステムコントローラ１９により検出され、この検出結果が制御部１３へ送られる。すると、制御部１３の制御により、リレー接点１６がオフ状態に切り替わる。
【００３６】
一方、制御部１３では、商用系統１からのＡＣ電力の供給を検出すると、リレー接点１４，１５を切り替えずにそのまま維持（即ち、リレー接点１４をオフ状態、リレー接点１５を第２電極１５ｂ側に接続した状態を維持）すると共に、系統復帰までの動作の安定化を図るために、内部のタイマ１３ａにより、系統復帰実行までの時間（例えば、十数秒〜数分程度）をカウントダウンする。
【００３７】
商用系統１が復旧すると、この商用系統１のＡＣ電流が、第１接続点Ｎ１を経由して、第１電磁接触器２１の第１電磁コイル２１Ａに流れるので、第１主接点２１ａがオン状態になると共に、第１補助接点２１ｂがオフ状態になる。これにより、第２電磁接触器２２の第２電磁コイル２２Ａには電流が流れないので、第２主接点２２ａがオフ状態に切り替わる。この際、遮断器２３の第３主接点２３ａがオフ状態、及び第３補助接点２３ｂがオン状態のままである。
【００３８】
（７）  図２−７の系統復帰時（手動操作オン）の動作
例えば、ユーザが重要負荷３ｄの状態等を見て、手動操作により、遮断器２３の第３主接点２３ａをオン状態に切り替えると共に、第３補助接点２３ｂをオフ状態に切り替える。これにより、図２−７中の矢印で示すように、商用系統１のＡＣ電力は、一般負荷部２内の遮断器２ａを介して一般負荷２ｄへ供給されると共に、商用系統１のＡＣ電流が、一般負荷部２内の遮断器２ｂ→第１接続点Ｎ１→第１励磁コイル２１Ａ→第３主接点２３ａ→重要負荷部３内の遮断器３ｃ，３ａ，３ｂ、の経路で重要負荷３ｄへ流れる。第１電磁コイル２１ＡにＡＣ電流が流れると、第１主接点２１ａがオン状態になり、第１接続点Ｎ１のＡＣ電力が、第１主接点２１ａ→第３主接点２３ａ→重要負荷部３内の遮断器３ｃ，３ａ，３ｂ、の経路で重要負荷３ｄへ供給される。このように、手動操作により、遮断器２３のオン／オフ状態を切り替えることにより、重要負荷３ｄへの電力供給を制御することができる。
【００３９】
（８）  図２−８の復帰カウントダウン終了（（１）の系統連系時）の動作
制御部１３内のタイマ１３ａによる復帰カウントダウンが終了すると、制御部１３の制御により、リレー接点１４がオン状態に切り替わると共に、リレー接点１５が第１電極１５ａ側に切り替わり、図２−１の系統連系時の通常状態に戻る。
【００４０】
（実施例１の効果）
本実施例１の蓄電システムによれば、次の（ａ）、（ｂ）のような効果がある。
【００４１】
（ａ）  商用系統１の停電によって蓄電部１０側で自立運転が始まり、双方向電力変換器１２からＡＣ放電電力が出力されても、このＡＣ放電電力がスイッチ装置２０で遮断されるので、そのＡＣ放電電力が勝手に重要負荷３ｄへ供給されてしまうことを防止することができる。これにより、蓄電システムの安全性をより向上できる。
【００４２】
（ｂ）  既存の蓄電システムに、スイッチ装置２０を追加するだけで、容易に、且つ低コストで、安全性の高い蓄電システムを実現できる。又、スイッチ装置２０は、第１接続点Ｎ１及び第２接続点Ｎ２と、重要負荷部３との間に着脱自在に接続される構成にすれば、既存の蓄電システムを変更することなく、本実施例１の蓄電システムを容易に実現できる。
【００４３】
（変形例）
本発明は、上記実施例１に限定されず、種々の利用形態や変形が可能である。この利用形態や変形例としては、例えば、次の（Ｉ）〜（ＩＩＩ）のようなものがある。
【００４４】
（Ｉ）  図１の蓄電システムの全体の構成を、他の回路構成に変更しても良い。例えば、複数の遮断器２ａ，２ｂ，３ａ，３ｂ，３ｃ，１７ａ，１７ｂ，１８，３２は、他の回路切断手段に置き換えたり、あるいは、不要な遮断器を適宜、削除しても良い。又、太陽電池３０に代えて、燃料電池、風力発電等の他の電力源を使用したり、あるいは、太陽電池３０、パワーコンディショナ３１、遮断器３２、及びリレー接点１６は、不要であれば、削除しても良い。
【００４５】
（ＩＩ）  スイッチ装置２０は、図示以外の回路構成に変更しても良い。例えば、図１において、第１接続点Ｎ１と第１電磁接触器２１との接続線を削除するために、スイッチ装置２０の回路構成を変更する。この変更されたスイッチ装置は、第２接続点Ｎ２と重要負荷３ｄとの間に接続され、系統連系時において、第２接続点Ｎ２と重要負荷３ｄとの間を手動操作によって遮断状態にセットすると、このセット状態が、商用系統１の停電時以後も保持され、自立運転時において、手動操作によって第２接続点Ｎ２と重要負荷３ｄとの間を導通状態に切り替えて前記セット状態をリセットすると、リレー接点１４と双方向電力変換器１２との間の電力が、重要負荷３ｄへ供給される構成になっている。このような構成に変更しても、実施例１とほぼ同様の作用効果を奏することができる。
【００４６】
（ＩＩＩ）リレー接点１４，１５，１６、電磁接触器２１，２２及び遮断器２３は、スイッチ素子等の他の切り替え手段に置き換えても良い。
【符号の説明】
【００４７】
１      商用系統
２ｃ      一般負荷
３ｄ      重要負荷
１０      蓄電部
１１      二次電池
１２      双方向電力変換器
１４，１５，１６      リレー接点
２０      スイッチ装置
２１，２２      第１、第２電磁接触器
２１Ａ，２２Ａ      第１、第２電磁コイル
２１ａ，２２ａ，２３ａ      第１、第２、第３主接点
２１ｂ，２３ｂ      第１、第３補助接点
２３      遮断器
Ｎ１，Ｎ２，Ｎ３      第１、第２、第３接続点
【図１】
2014007828.tif 000003
【図２−１】
2014007828.tif 000004
【図２−２】
2014007828.tif 000005
【図２−３】
2014007828.tif 000006
【図２−４】
2014007828.tif 000007
【図２−５】
2014007828.tif 000008
【図２−６】
2014007828.tif 000009
【図２−７】
2014007828.tif 000010
【図２−８】
2014007828.tif 000011